(57)【要約】【課題】デッキプレートと調整プレートとを溶接などによって固定することを不要とし、かつ調整プレートと壁パネルとが接触することによる壁パネルの破損を防止する。【解決手段】調整プレート１１０の壁パネル２００とは反対側端部がプレート側端部緩衝材４１０によって覆われる。また、デッキプレート１００上にコンクリートが打設されると、打設されたコンクリートと調整プレート１１０との間にプレート側端部緩衝材４１０が挟まる構成となる。さらに、調整プレート１１０上に耐火材４２０が載置される。【選択図】図１
2010261233.tif 000002
【特許請求の範囲】
【請求項１】
外壁構法で建築される建築物の床スラブと壁パネルとの間に形成される層間隙間に耐火材を充填するための耐火装置において、
コンクリートを打設する前のデッキプレートと壁パネルとの間に形成される隙間を差し渡すために前記デッキプレート上に載置される調整プレートと、
前記調整プレート上に載置される耐火材と、
前記調整プレートの前記壁パネルとは反対側端部に、前記調整プレートが前記デッキプレート上に載置されたときに、前記反対側端部と、前記反対側端部に隣接する前記デッキプレートを覆うように載置されるプレート側端部緩衝材と、
を備えることを特徴とする耐火装置。
【請求項２】
前記調整プレートの前記壁パネル側端部に緩衝材が設けられ、
前記プレート側端部緩衝材が、あらかじめ前記調整プレートに貼着されていることを特徴とする請求項１記載の耐火装置。
【請求項３】
前記耐火材には、前記壁パネルに貼着するための貼着材が取り付けられていることを特徴とする請求項１または２記載の耐火装置。
【請求項４】
前記調整プレートの断面形状がＬ字形状であって、前記調整プレートの垂直部分における水平部分とは反対側面には、前記壁パネルと貼着するための貼着剤が設けられていることを特徴とする請求項１または３記載の耐火装置。
【請求項５】
断面形状がＬ字形状のピースであって、前記ピースの垂直部分における水平部分とは反対側面には、前記壁パネルと貼着するための貼着剤が設けられており、
前記調整プレートが、前記デッキプレートと壁パネルとの間に形成される隙間に間隔をおいて設置された前記ピース上に載置されることを特徴とする請求項１または３記載の耐火装置。
【請求項６】
外壁構法で建築される建築物の床スラブと壁パネルとの間に形成される層間隙間に耐火材を充填するための耐火方法において、
コンクリートを打設する前のデッキプレートと壁パネルとの間に形成される隙間を差し渡すために前記デッキプレート上に、前記壁パネル側端部に緩衝材が設けられ、かつ前記壁パネルとは反対側端部に、前記デッキプレート上に載置されたときに、前記反対側端部と、前記反対側端部に隣接する前記デッキプレートを覆うように載置されるプレート側端部緩衝材があらかじめ貼着されている調整プレートを載置し、
前記プレート側端部緩衝材と前記壁パネルとで形成される空間にその下部が充填されるように前記調整プレート上に耐火材を載置し、
前記デッキプレート上にコンクリートを打設することを特徴とする耐火方法。
【請求項７】
外壁構法で建築される建築物の床スラブと壁パネルとの間に形成される層間隙間に耐火材を充填するための耐火方法において、
コンクリートを打設する前のデッキプレートと壁パネルとの間に形成される隙間を差し渡すために前記デッキプレート上に、断面形状がＬ字形状の調整プレートであって、垂直辺の水平辺とは反対側面に取り付けられた貼着材によって壁パネルに貼着されるとともに、前記水平辺を前記デッキプレート上に載置し、
前記調整プレート上に耐火材を載置し、
前記調整プレートの前記壁パネルとは反対側端部に、前記反対側端部と、前記反対側端部に隣接する前記デッキプレートを覆うようにプレート側端部緩衝材が載置し、
前記デッキプレート上にコンクリートを打設することを特徴とする耐火方法。
【請求項８】
外壁構法で建築される建築物の床スラブと壁パネルとの間に形成される層間隙間に耐火材を充填するための耐火方法において、
コンクリートを打設する前のデッキプレートと壁パネルとの間に形成される隙間を差し渡すために前記デッキプレート上に、断面形状がＬ字形状のピースであって、垂直辺の水平辺とは反対側面に取り付けられた貼着材によって壁パネルに貼着されるとともに、前記水平辺を前記デッキプレート上に間隔をおいて複数個載置し、
前記ピース、およびデッキプレート上に平板状の調整プレートを載置し、
前記壁パネルに沿うように前記調整プレート上に耐火材を載置し、
前記調整プレートの前記壁パネルとは反対側端部に、前記反対側端部と、前記反対側端部に隣接する前記デッキプレートを覆い、かつ前記耐火材と隣接するようにプレート側端部緩衝材が載置し、
前記デッキプレート上にコンクリートを打設することを特徴とする耐火方法。
【発明の詳細な説明】
【技術分野】
【０００１】
本発明は、耐火装置および耐火方法に関し、特に外壁構法で建築される建築物の床スラブと壁パネルとの間に形成される層間隙間に耐火材を充填するための耐火装置および耐火方法に関する。
【背景技術】
【０００２】
一般に、高層建築物においては、カーテンウォールパネルなどの壁パネルを間隙を介して上下および左右方向に連続配置して外壁とする外壁構法が採用されている。
【０００３】
ところで、この種の外壁構法においては、たとえばデッキプレート上にコンクリートを打設して構成される床の端面と外壁との間に、その構造上所定の隙間が形成されるため、たとえば下層の階で火災が発生した際に、この隙間を介して上層階への延焼を防ぐために隙間を耐火材でふさぐ必要がある（以下、「層間ふさぎ」という。）
【０００４】
その層間ふさぎの方法として、コンクリートが打設されていないデッキプレートと壁パネルの取合部分の隙間を埋めるように、デッキプレート上に耐火材をあらかじめ設置した上で、コンクリートを打設することにより層間ふさぎを行う方法が提案されている（たとえば、特許文献１参照）。
また、デッキプレートと壁パネルの取合部分の隙間をあらかじめ調整プレートで閉止し、その上に耐火材を設置する方法も考えられる。
【先行技術文献】
【特許文献】
【０００５】
【特許文献１】特開平９−１７７１９６号公報
【発明の概要】
【発明が解決しようとする課題】
【０００６】
しかし、上述の特許文献１記載の方法によると、下層から火が来たときに耐火材に直接火が当たることになり、耐火性能が低下する可能性がある問題がある。
また、デッキプレートと壁パネルの取合部分の隙間をあらかじめ調整プレートで閉止することにより耐火性能が向上するとしても、調整プレートはデッキプレートと溶接するなどして固定する必要があり、作業工程が増えるとともに、作業コストが増大するという問題がある。
【０００７】
さらに、デッキプレートと壁パネルの取合部分の隙間をあらかじめ調整プレートで閉止する方法では、その性質上調整プレートの端部は壁パネルの内側に接するように設置する必要があるが、設置後に壁パネルが揺動したときにこすれて鳴きが発生するおそれがあるという問題もあり、壁面に鉛直方向に揺れが生じたときには、調整プレートの端部と壁パネルとが接触し、壁パネルを破損してしまうおそれがあるという問題もあった。
【０００８】
本発明はこのような点に鑑みてなされたものであり、デッキプレートと調整プレートとを溶接などによって固定することが不要であり、かつ調整プレートと壁パネルとが接触することによる壁パネルの破損を防止することができる耐火装置および耐火方法を提供することを目的とする。
【課題を解決するための手段】
【０００９】
本発明では上記問題を解決するために、外壁構法で建築される建築物の床スラブと壁パネルとの間に形成される層間隙間に耐火材を充填するための耐火装置において、コンクリートを打設する前のデッキプレートと壁パネルとの間に形成される隙間を差し渡すために前記デッキプレート上に載置される調整プレートと、前記調整プレート上に載置される耐火材と、前記調整プレートの前記壁パネルとは反対側端部に、前記調整プレートが前記デッキプレート上に載置されたときに、前記反対側端部と、前記反対側端部に隣接する前記デッキプレートを覆うように載置されるプレート側端部緩衝材とを備えることを特徴とする耐火装置が提供される。
【００１０】
これにより、調整プレートの壁パネルとは反対側端部がプレート側端部緩衝材によって覆われる。また、デッキプレート上にコンクリートが打設されると、打設されたコンクリートと調整プレートとの間にプレート側端部緩衝材が挟まる構成となる。さらに、調整プレート上に耐火材が載置される。
【００１１】
また、本発明では、外壁構法で建築される建築物の床スラブと壁パネルとの間に形成される層間隙間に耐火材を充填するための耐火方法において、コンクリートを打設する前のデッキプレートと壁パネルとの間に形成される隙間を差し渡すために前記デッキプレート上に、前記壁パネル側端部に緩衝材が設けられ、かつ前記壁パネルとは反対側端部に、前記デッキプレート上に載置されたときに、前記反対側端部と、前記反対側端部に隣接する前記デッキプレートを覆うように載置されるプレート側端部緩衝材があらかじめ貼着されている調整プレートを載置し、前記プレート側端部緩衝材と前記壁パネルとで形成される空間にその下部が充填されるように前記調整プレート上に耐火材を載置し、前記デッキプレート上にコンクリートを打設することを特徴とする耐火方法が提供される。
【００１２】
これにより、調整プレートの壁パネルとは反対側端部がプレート側端部緩衝材によって覆われる。また、デッキプレート上にコンクリートが打設されると、打設されたコンクリートと調整プレートとの間にプレート側端部緩衝材が挟まる構成となる。さらに、調整プレート上に耐火材が載置される。
【発明の効果】
【００１３】
本発明の耐火装置および耐火方法によれば、調整プレートの壁パネルとは反対側端部がプレート側端部緩衝材によって覆われ、デッキプレート上にコンクリートが打設されると、打設されたコンクリートと調整プレートとの間にプレート側端部緩衝材が挟まる構成となるので、デッキプレートと調整プレートとを溶接などによって固定することが不要であり、かつ調整プレートと壁パネルとが接触することによる壁パネルの破損を防止することができる。
【図面の簡単な説明】
【００１４】
【図１】本実施の形態に係る層間耐火材を設置した状態を示す図である。
【図２】本実施の形態に係る層間耐火材を設置した状態を示す図である。
【図３】本実施の形態に係る層間耐火材を設置した状態を示す図である。
【図４】本実施の形態に係るＬ字ピースの上面斜視図である。
【発明を実施するための形態】
【００１５】
以下、本発明の実施の形態を図面を参照して詳細に説明する。
〔第１の実施の形態〕
図１は、本実施の形態に係る層間耐火材を設置した状態を示す図である。
図１に示すように、デッキプレート１００と壁パネル２００の取り合い部分に生じる隙間３００をふさぐように調整プレート１１０がデッキプレート１００上に載置されている。
【００１６】
この調整プレート１１０のデッキプレート１００側端部には、緩衝材４１０が載置されている。この緩衝材４１０は、調整プレート１１０にあらかじめ貼着されており、調整プレート１１０を取り合い部分に載置するときに同時に緩衝材４１０もデッキプレート１００上に載置される。また、調整プレート１１０の壁パネル２００側端部には緩衝材１１１があらかじめ取り付けられている。これにより、調整プレート１１０で取り合い部分の隙間３００をふさぐときに、壁パネル２００と調整プレート１１０の接触部分に緩衝材１１１が挟まる構成となる。
【００１７】
次に、緩衝材４１０と壁パネル２００との間の調整プレート１１０上に耐火材４２０を載置する。このとき、耐火材４２０にはブチルテープ４２１などによって壁パネル２００に貼着する。
【００１８】
次に、デッキプレート１００上にコンクリートを打設する。これにより、打設されたコンクリートによって形成される床スラブ（不図示）と壁パネル２００との間の層間に下に金属製板材を有する耐火材を有する構成となる。
【００１９】
これにより、床スラブと壁パネルの間に形成される層間隙間が、下に金属製板材を有する耐火材によって閉止される構成となる。したがって、下層で発生した火災が上層に延焼することを防止することができる。
また、下に金属製板材を有するので、耐火材が直接火にさらされることがないので、耐火性能が低下することを防止することができる。
【００２０】
また、調整プレート１１０を緩衝材４１０でおさえることによってデッキプレート１００上に載置される構成となっているので、デッキプレート１００と調整プレート１１０とを溶接する必要がない。したがって、作業手順と作業コストを削減することが可能となる。
また、この構成によりデッキプレート１００と壁パネル２００の取り合い部分の隙間３００が調整プレート１１０、緩衝材４１０、および耐火材４２０によって閉止されることにより、後から打設されたコンクリートのノロ止めとしても有効である。
【００２１】
また、調整プレート１１０を緩衝材４１０でおさえることによってデッキプレート１００上に載置される構成となっているので、デッキプレート１００と調整プレート１１０とが柔接合されることとなり、壁パネル２００が揺動して調整プレート１１０を室内側に押したときでも緩衝材４１０がその動きを吸収することにより、調整プレート１１０によって壁パネル２００を破損することを防止することができる。
【００２２】
さらに、調整プレート１１０の壁パネル２００が端部に緩衝材１１１が取り付けられていることにより、調整プレート１１０と壁パネル２００が緩衝材１１１を介して接触しているので、壁パネル２００が揺動したときに発生する鳴きを防止することができる。
【００２３】
本実施の形態においては、調整プレート１１０が平板状のものを用いる旨を説明したが、壁パネル２００との接触面積を増やすことによってより壁パネル２００の破損を防止し、鳴きを防止し、かつ作業工程を簡略化することができる。
【００２４】
なお、図１においては、耐火材４２０の幅が隙間３００の幅と同一であるが、耐火材４２０の幅を隙間３００の幅より広くしてもよい。また、調整プレート１１０をデッキプレート１００上に載置する際に、ブチルテープを介して載置してもよい。これにより、調整プレート１１０を載置する際に仮止めとなることから、作業性が向上するとともに、もし壁パネル２００に押されて調整プレート１１０が移動するときでも、デッキプレート１００と摩擦することによる鳴きを防止することが可能となる。
【００２５】
〔第２の実施の形態〕
次に、本発明の第２の実施の形態について説明する。本実施の形態の層間耐火材の設置方法は、調整プレートが平板上ではなく断面形状がＬ字形状であることが異なる以外は、第１の実施の形態で示した構成と同様である。このため、上記第１の実施の形態とほぼ同様の構成部分については同一の符号を付すなどして適宜その説明を省略する。
【００２６】
図２は、本実施の形態に係る層間耐火材を設置した状態を示す図である。
図２に示すように、デッキプレート１００と壁パネル２００の取り合い部分に生じる隙間３００をふさぐように調整プレート２１１０がデッキプレート１００上に載置されている。調整プレート２１１０は、断面がＬ字形状をしており、垂直面の外側に取り付けられたブチルテープ２１１１により壁パネル２００に貼着されており、垂直面の反対端部がデッキプレート１００上に載置されている。次に、ブチルテープ４２１が貼着された耐火材４２０を壁パネル２００に貼着して、調整プレート２１１０上に載置する。
【００２７】
次に、調整プレート２１１０のデッキプレート１００上に載置されている側に、端部を覆い、かつ耐火材４２０に接するように緩衝材４１０を載置する。そして、デッキプレート１００上にコンクリートを打設する。これにより、打設されたコンクリートによって形成される床スラブ（不図示）と壁パネル２００との間の層間に下に金属製板材を有する耐火材を有する構成となる。
これにより、床スラブと壁パネルの間に形成される層間隙間が、下に金属製板材を有する耐火材によって閉止される構成となる。したがって、下層で発生した火災が上層に延焼することを防止することができる。
【００２８】
また、下に金属製板材を有するので、耐火材が直接火にさらされることがないので、耐火性能が低下することを防止することができる。
また、調整プレート２１１０がブチルテープ２１１１により壁パネル２００に貼着されていることにより、デッキプレート１００と調整プレート２１１０とを溶接する必要がない。したがって、作業手順と作業コストを削減することが可能となる。
【００２９】
また、この構成によりデッキプレート１００と壁パネル２００の取り合い部分の隙間３００が調整プレート２１１０、緩衝材４１０、および耐火材４２０によって閉止されることにより、後から打設されたコンクリートのノロ止めとしても有効である。
【００３０】
また、調整プレート２１１０をブチルテープ２１１１により壁パネル２００に貼着し、デッキプレート１００上に載置される側の端部を緩衝材４１０で覆う構成となっているので、デッキプレート１００と調整プレート２１１０とが柔接合されることとなり、壁パネル２００が揺動して調整プレート２１１０を室内側に押したときでも緩衝材４１０がその動きを吸収することにより、調整プレート２１１０によって壁パネル２００を破損することを防止することができる。さらに、調整プレート２１１０が壁パネル２００にブチルテープ２１１１によって貼着されているので、壁パネル２００が揺動したときに発生する鳴きを防止することができる。
【００３１】
なお、図２においては、耐火材４２０の幅が隙間３００の幅と同一であるが、耐火材４２０の幅を隙間３００の幅より広くしてもよい。また、調整プレート２１１０をデッキプレート２１００上に載置する際に、ブチルテープを介して載置してもよい。これにより、調整プレート２１１０を載置する際に仮止めとなることから、作業性が向上するとともに、もし壁パネル２００に押されて調整プレート２１００が移動するときでも、デッキプレート１００と摩擦することによる鳴きを防止することが可能となる。
【００３２】
本実施の形態においては、調整プレート２１１０の断面形状がＬ字形状のものを用いる旨を説明したが、断面形状がＬ字形状の調整プレート２１１０は重量が重いため、より安価に同様の効果を奏するように断面形状がＬ字形状のピースと、平板状の調整プレートを組み合わせてもよい。
【００３３】
〔第３の実施の形態〕
次に、本発明の第３の実施の形態について説明する。本実施の形態の層間耐火材の設置方法は、断面形状がＬ字形状であるピース上に、平板状の調整プレートを載置することが異なる以外は、第２の実施の形態で示した構成と同様である。このため、上記第２の実施の形態とほぼ同様の構成部分については同一の符号を付すなどして適宜その説明を省略する。
【００３４】
図３は、本実施の形態に係る層間耐火材を設置した状態を示す図である。
図３に示すように、デッキプレート１００と壁パネル２００の取り合い部分に生じる隙間３００を差し渡すようにＬ字ピース３１１０がデッキプレート１００上に載置されている。Ｌ字ピース３１１０は、断面がＬ字形状をしており、垂直面の外側に取り付けられたブチルテープ２１１１により壁パネル２００に貼着されており、垂直面の反対端部がデッキプレート１００上に載置されている。
【００３５】
図４は、本実施の形態に係るＬ字ピースの上面斜視図である。
図４に示すように、Ｌ字ピース３１１０の幅は短いものであり、これを所定の間隔ごとに壁パネル２００に貼着されている。このままでは、隙間３００をふさぐことができないので、複数のＬ字ピース３１１０上にまたがるように平板状の調整プレート３１１２が載置される。そして、ブチルテープ４２１が貼着された耐火材４２０を壁パネル２００に貼着する。
【００３６】
次に、Ｌ字ピース３１１０、および調整プレート３１１２のデッキプレート１００上に載置されている側に、その端部を覆い、かつ耐火材４２０に接するように緩衝材４１０を載置する。そして、デッキプレート１００上にコンクリートを打設する。これにより、打設されたコンクリートによって形成される床スラブ（不図示）と壁パネル２００との間の層間に下に金属製板材を有する耐火材を有する構成となる。
【００３７】
これにより、床スラブと壁パネルの間に形成される層間隙間が、下に金属製板材を有する耐火材によって閉止される構成となる。したがって、下層で発生した火災が上層に延焼することを防止することができる。
また、下に金属製板材を有するので、耐火材が直接火にさらされることがないので、耐火性能が低下することを防止することができる。
【００３８】
また、Ｌ字ピース３１１０がブチルテープ２１１１により壁パネル２００に貼着され、その上に調整プレート３１１２が載置されていることにより、デッキプレート１００と調整プレート３１１２とを溶接する必要がない。したがって、作業手順と作業コストを削減することが可能となる。
【００３９】
また、この構成によりデッキプレート１００と壁パネル２００の取り合い部分の隙間３００がＬ字ピース３１１０、調整プレート３１１２、緩衝材４１０、および耐火材４２０によって閉止されることにより、後から打設されたコンクリートのノロ止めとしても有効である。
【００４０】
また、Ｌ字ピース３１１０をブチルテープ２１１１により壁パネル２００に貼着し、そのＬ字ピース３１１０の上に調整プレート３１１２が載置され、デッキプレート１００上に載置される側の端部を緩衝材４１０で覆う構成となっているので、デッキプレート１００と調整プレート２１１０とが柔接合されることとなり、壁パネル２００が揺動してＬ字ピース３１１０および調整プレート３１１２を室内側に押したときでも緩衝材４１０がその動きを吸収することにより、Ｌ字ピース３１１０および調整プレート３１１２によって壁パネル２００を破損することを防止することができる。さらに、Ｌ字ピース３１１０が壁パネル２００にブチルテープ２１１１によって貼着され、そのＬ字ピース３１１０の上に調整プレート３１１２が載置されているので、壁パネル２００が揺動したときに発生する鳴きを防止することができる。
【００４１】
なお、図３においては、耐火材４２０の幅が隙間３００の幅と同一であるが、耐火材４２０の幅を隙間３００の幅より広くしてもよい。また、Ｌ字ピース３１１０をデッキプレート２１００上に載置する際、もしくは調整プレート３１１２をＬ字ピース３１１０上に載置する際に、ブチルテープを介して載置してもよい。これにより特に、Ｌ字ピース３１１０上に調整プレート３１１２を載置する際に仮止めとなることから、Ｌ字ピース３１１０間の空間から調整プレート３１１２が脱落することが防止されるため、作業性が向上するとともに、もし壁パネル２００に押されてＬ字ピース３１１０および調整プレート３１１２が移動するときでも、Ｌ字ピース３１１０と調整プレート３１１２、および調整プレート３１１２とデッキプレート１００が摩擦することによる鳴きを防止することが可能となる。
【符号の説明】
【００４２】
１００  デッキプレート
１１０  調整プレート
１１１  緩衝材
２００  壁パネル
３００  隙間
４１０  緩衝材
４２０  耐火材
４２１  ブチルテープ
【図１】
2010261233.tif 000003
【図２】
2010261233.tif 000004
【図３】
2010261233.tif 000005
【図４】
2010261233.tif 000006